(57)【要約】【課題】プライバシーを損なわずに監視範囲を広げて防犯効果を高める。【解決手段】複数の情報端末１０４と、前記複数の情報端末のそれぞれに対応して少なくともひとつずつ設けられた撮像手段１０１と、前記複数の情報端末１０４に設けられ、前記撮像手段１０１によって撮像された画像情報を記憶する画像情報記憶手段１０５と、前記画像情報記憶手段１０５に記憶された画像を選択する画像情報選択手段１０７と、前記画像情報選択手段１０７により選択された画像情報を集中管理する画像情報集中管理手段１０６とから構成しすることにより、各戸の玄関先やバルコニーに分散して設けられた撮像手段で撮像された画像は、いったん各戸の情報端末１０４の画像情報記憶手段１０５に記憶され、その後、各利用者によって任意に選択されたり、特定の条件によって選択された画像だけが、監視者が管理する画像情報集中管理手段１０６に送信される。【選択図】図１
2005303646.tif 000002
【特許請求の範囲】
【請求項１】
複数の情報端末と、前記複数の情報端末のそれぞれに対応して少なくともひとつずつ設けられた撮像手段と、前記複数の情報端末に設けられ、前記撮像手段によって撮像された画像情報を記憶する画像情報記憶手段と、前記画像情報記憶手段に記憶された画像を選択する画像情報選択手段と、前記画像情報選択手段により選択された画像情報を集中管理する画像情報集中管理手段とから構成されたセキュリティ装置。
【請求項２】
画像情報選択手段は、複数の情報端末の各利用者が任意に選択する構成とした請求項１記載のセキュリティ装置。
【請求項３】
画像情報選択手段は、集中管理設定手段を有し、前記集中管理設定手段による設定条件にしたがって画像情報記憶手段に記憶された画像を選択する構成とした請求項１記載のセキュリティ装置。
【請求項４】
集中管理設定手段は、あらかじめ設定された時間帯に画像情報記憶手段に記憶された画像を選択して画像情報集中管理手段で管理する条件とする請求項３記載のセキュリティ装置。
【請求項５】
集中管理設定手段は、複数の情報端末の各利用者がそれぞれ任意に設定した時間帯に画像情報記憶手段に記憶された画像を選択して画像情報集中管理手段で管理する条件とする請求項３記載のセキュリティ装置。
【請求項６】
集中管理設定手段は、複数の情報端末の各利用者がそれぞれ任意に画像情報記憶手段に記憶された画像の選択の開始と終了の操作をおこなえるようにし、開始操作以降、終了操作がなされるまでの間に記憶された画像を選択して画像情報集中管理手段で管理する条件とする請求項３記載のセキュリティ装置。
【請求項７】
撮像手段は撮像視野内の人体を検知する人体検知手段を有し、前記人体検知手段により人体を検知したときに前記撮像手段により撮像された画像を画像情報記憶手段に記憶する条件を決定する画像記憶条件決定手段を設けた構成とした請求項１〜６のいずれか一項記載のセキュリティ装置。
【請求項８】
画像記憶条件決定手段は、人体検知手段が人体の検知を継続している間画像を記録する、または人体検知手段が人体を検知した時に画像記憶を開始しそれ以降あらかじめ設定された一定時間、画像を記憶する、または人体検知手段が人体を検知した時に画像記憶を開始し人体を検知しなくなった以降、あらかじめ設定された一定時間、画像を記憶するように条件を決定する請求項７記載のセキュリティ装置。
【請求項９】
請求項１〜８のいずれか一項記載のセキュリティ装置の少なくとも一部をコンピュータに実行させるプログラム。
【発明の詳細な説明】
【技術分野】
【０００１】
本発明は、画像を用いて防犯の支援をおこなうセキュリティ装置およびそのプログラムに関するものである。
【背景技術】
【０００２】
従来、この種のセキュリティ装置は、例えば図１０のようなものがある（例えば、特許文献１参照）。
【０００３】
図１０は、特許文献１に記載された従来のセキュリティ装置を示すものである。図１０に示すように、集合住宅の共同玄関、駐車場、駐輪場、エレベータ、ロビーなどに設置された監視カメラ群１００１と、これら監視カメラ群１００１の撮像の開始・終了や撮像範囲の制御などをおこなう撮像制御手段１００２、録画の開始・終了などをおこなう録画制御手段１００３、再生の開始・終了などをおこなう再生制御手段１００４を有するカメラ集中管理手段１００５と、このカメラ集中管理手段１００５に接続して、各監視カメラ群１００１による画像を各戸で閲覧するための複数の各戸表示端末１００６から構成されている。
【特許文献１】特開２００２−７７８８２号公報
【発明の開示】
【発明が解決しようとする課題】
【０００４】
しかしながら、前記従来の構成では、監視カメラ群１００１は共用部分に設置され、ある程度撮像範囲を制御することはできるものの、居住者のプライバシーを侵害する恐れのある場所には、カメラの設置ができなかったり、遠方に設置しても玄関やバルコニーを望むように制御することは基本的にしないため、監視する範囲が制限されて、防犯上、不十分であるという課題があった。
【０００５】
また、カメラ集中管理手段１００５で管理される監視カメラ群１００１による画像は各戸表示端末１００６で多数の居住者が閲覧できるようになっているために、管理人などが閲覧するだけに比較すれば防犯効果は大きいといえるが、監視できる範囲は監視カメラ群１００１によって決まるため、限界があるという課題があった。
【０００６】
本発明は、前記従来の課題を解決するもので、プライバシーを損なわずに監視範囲を広げて、格段に防犯効果を高めたセキュリティ装置を提供することを目的とする。
【課題を解決するための手段】
【０００７】
前記従来の課題を解決するために、本発明のセキュリティ装置は、複数の情報端末と、前記複数の情報端末のそれぞれに対応して少なくともひとつずつ設けられた撮像手段と、前記複数の情報端末に設けられ、前記撮像手段によって撮像された画像情報を記憶する画像情報記憶手段と、前記画像情報記憶手段に記憶された画像を選択する画像情報選択手段と、前記画像情報選択手段により選択された画像情報を集中管理する画像情報集中管理手段とから構成したものである。
【０００８】
これによって、各戸の玄関先やバルコニーなどに分散して設けられた撮像手段で撮像された画像は、いったん各戸の情報端末の画像情報記憶手段に記憶され、その後、各利用者によって任意に選択されたり、特定の条件によって選択された画像だけが、管理人などの監視者が管理する画像情報集中管理手段に送信される。
【発明の効果】
【０００９】
本発明のセキュリティ装置およびそのプログラムは、従来の監視カメラでは取得できなかった居住者のプライバシーの侵害の恐れのある場所で撮像された画像情報を、集合住宅の管理人などの監視者が有効に利用できるようになるため、監視できる範囲が大幅に拡大されて、格段に防犯効果を高めることができる。
【発明を実施するための最良の形態】
【００１０】
第１の発明は、複数の情報端末と、前記複数の情報端末のそれぞれに対応して少なくともひとつずつ設けられた撮像手段と、前記複数の情報端末に設けられ、前記撮像手段によって撮像された画像情報を記憶する画像情報記憶手段と、前記画像情報記憶手段に記憶された画像を選択する画像情報選択手段と、前記画像情報選択手段により選択された画像情報を集中管理する画像情報集中管理手段とから構成することにより、各戸の玄関先やバルコニーに分散して設けられた撮像手段で撮像された画像は、いったん各戸の情報端末の画像情報記憶手段に記憶され、その後、選択された画像だけが、管理人などの監視者が管理する画像情報集中管理手段に送信されるので、従来の監視カメラでは取得できなかった居住者のプライバシーの侵害の恐れのある場所で撮像された画像情報を、監視者が有効に利用できるようになり、監視できる範囲が大幅に拡大されて、格段に防犯効果を高めることができる。
【００１１】
第２の発明は、特に、第１の発明の画像情報選択手段を、複数の情報端末の各利用者が任意に選択する構成とすることにより、不審者の情報だけが監視者に提供され、家人や客人が記録された画像は監視者が管理する画像情報集中管理手段には届かないので、プライバシーを確保できる。
【００１２】
第３の発明は、特に、第１の発明の画像情報選択手段を、集中管理設定手段を有し、前記集中管理設定手段による設定条件にしたがって画像情報記憶手段に記憶された画像を選択する構成とすることにより、撮像された画像のうち、特定の条件にあてはまるものだけが監視者に提供されるので、プライバシーを確保できる。
【００１３】
第４の発明は、特に、第３の発明の集中管理設定手段を、あらかじめ設定された時間帯に画像情報記憶手段に記憶された画像を選択して画像情報集中管理手段で管理する条件とするように構成することにより、家人や客人が撮像されることが想定されない、たとえば深夜の時間帯に記憶された画像を監視者に提供するので、プライバシーを確保できる。
【００１４】
第５の発明は、特に、第３の発明の集中管理設定手段を、複数の情報端末の各利用者がそれぞれ任意に設定した時間帯に画像情報記憶手段に記憶された画像を選択して画像情報集中管理手段で管理する条件とするように構成することにより、各利用者の生活パターンに応じて、利用者ごとに家人や客人が撮像されることが想定されない時間帯を任意に設定し、その間に記憶された画像を監視者に提供するので、プライバシーを確保できる。
【００１５】
第６の発明は、特に、第３の発明の集中管理設定手段を、複数の情報端末の各利用者がそれぞれ任意に画像情報記憶手段に記憶された画像の選択の開始と終了の操作をおこなえるようにし、開始操作以降、終了操作がなされるまでの間に記憶された画像を選択して画像情報集中管理手段で管理する条件とするように構成することにより、たとえば就寝時に開始を設定すると、その時点から記憶された画像が監視者に送られ、起床時に終了の設定をすれば、以降は監視者には送られないので、利用者の都合にあわせてプライバシーを確保できる。
【００１６】
第７の発明は、特に、第１〜６のいずれか１つの発明のセキュリティ装置を、撮像手段は撮像視野内の人体を検知する人体検知手段を有し、前記人体検知手段により人体を検知したときに前記撮像手段により撮像された画像を画像情報記憶手段に記憶する条件を決定する画像記憶条件決定手段を設けた構成とすることにより、監視したい範囲に人体が入ったときだけ画像を記憶することができ、無駄な画像を撮像したりして、不要な画像を見る煩わしさを利用者に感じさせず、かつ必要なときに撮像し損ねることがないとともに、画像情報記憶手段の記憶容量を効率的に使うことができる。
【００１７】
第８の発明は、特に、第７の発明の画像記憶条件決定手段を、人体検知手段が人体の検知を継続している間、画像を記録するように条件を決定する構成とすることにより、不審者が監視したい範囲で行動している状況をつぶさに記憶することができる。
【００１８】
また、画像記憶条件決定手段を、人体検知手段が人体を検知した時に画像記憶を開始し、それ以降あらかじめ設定された一定時間、画像を記憶するように条件を決定する構成とすることにより、不審者が一時的に監視したい範囲を離れて、再度その場に戻ってきた場合など、不在の状態も記憶しておくことによって不審者の行動パターンを把握しやすくなる他、人体の動きだけを検出する方式の人体検知手段の場合には、人体が停止すると誰もいないと判断されるので、一時的な停止の場合も画像を撮り逃すことがない。
【００１９】
また、画像記憶条件決定手段を、人体検知手段が人体を検知した時に画像記憶を開始し、人体を検知しなくなった以降、あらかじめ設定された一定時間、画像を記憶するように条件を決定する構成とすることにより、不審者が一時的に監視したい範囲を離れて、再度その場に戻ってきた場合など、不在の状態も記憶しておくことによって不審者の行動パターンを把握しやすくなる他、人体の動きだけを検出する方式の人体検知手段の場合に人体が停止すると誰もいないと判断するが本発明ではそのような判断をすることがないので、一時的な停止の場合も画像を撮り逃すことがない。
【００２０】
第１０の発明は、特に、第１〜９の発明のいずれか１つの発明のセキュリティ装置の少なくとも一部をコンピュータに実行させるプログラムとすることにより、電気・情報機器、コンピュータ、サーバー等のハードリソースを協働させて本発明のセキュリティ装置の少なくとも一部を容易に実現することができる。また記録媒体に記録したり通信回線を用いてプログラムを配信したりすることでプログラムの配布・更新やそのインストール作業が簡単にできる。
【００２１】
以下、本発明の実施の形態について、図面を参照しながら説明する。なお、この実施の形態によって本発明が限定されるものではない。
【００２２】
（実施の形態１）
図１は本発明の第１の実施の形態におけるセキュリティ装置の構成を示す図である。
【００２３】
図１において、撮像手段としての玄関カメラ１０１ａは、概略撮像範囲に入った人を検知する人体検知手段１０２と、人体検知手段１０２の出力に基づいて画像を記憶するかどうかを決定する画像記憶条件設定手段１０３からなる。専用庭カメラ１０１ｂ、玄関カメラ１０１ｃ、玄関カメラ１０１ｄ、バルコニーカメラ１０１ｅは、玄関カメラ１０１ａと同じ構成のものである。
【００２４】
各戸情報端末１０４ａには、その住戸に設置された玄関カメラ１０１ａと専用庭カメラ１０１ｂからの画像情報を記憶する画像情報記憶手段１０５と、記憶された画像情報のうち、画像情報集中管理手段１０６に転送するものを選択する画像情報選択手段１０７を有する。それぞれの住戸に、同じ各戸情報端末１０４ｂ、１０４ｃが設置されている。各戸情報端末１０４ａ、１０４ｂ、１０４ｃから転送される画像情報集中管理手段１０６には管理人が参照する画像情報表示手段１０８を設けている。
【００２５】
図２は、設置された状態を示している。玄関扉２０１外側上方の壁玄関カメラ１０１ａが設けられ、玄関扉２０１に近づいた人２０２を撮像する。各戸情報端末１０４ａは、住戸内の壁に設置され、玄関カメラ１０１ａとは無線通信で情報をやりとりするようになっており、無線通信を模式的に矢印２０３で表現している。なお、情報のやりとりは有線でおこなう場合もある。
【００２６】
以上のように構成されたセキュリティ装置について、以下その動作、作用を説明する。
【００２７】
まず、玄関カメラ１０１ａの撮像方法について説明する。玄関扉２０１に近づく人がいると、それを人体検知手段１０２が検知して、この検知結果に基づいて、画像の記憶が開始される。図３は画像記憶条件決定手段１０３により、玄関カメラ１０１ａで撮像された画像を各戸情報端末１０４ａの画像情報記憶手段１０５に記憶するタイミングを示しており、これに示すとおり、人体が検知されると同時に画像記憶が開始され、人体を検知しなくなった時点で画像記憶が終了する。
【００２８】
図４は、このようにして記憶された画像情報記憶手段１０５の内容を利用者が参照し、画像情報集中管理手段１０６に転送するものを選択する方法を示している。各戸情報端末１０４ａは、画像情報記憶手段１０５に記憶された画像情報を、その日時とカメラの名称とともに一覧で表示する。各戸情報端末１０４ａの画面には入力手段としてタッチパネルが設けられ、利用者はさらに詳しく見たい画像４０１をタッチすると、大きい画像が動画で表示される。ここで利用者が、その画像に写っている人物が不審と感じ、管理人に報告したいと思えば、任意に転送ボタン４０２にタッチすれば、管理人が管理する画像情報集中管理手段１０６に転送される。
【００２９】
図５は、管理情報集中管理手段１０６で管理人が見ることのできる画面である。共同玄関などの共用部分に設置された画像とともに、各戸からの集まってくる画像情報が一覧で表示され、より詳しく見たい画像５０１をタッチパネルなどの入力手段で管理者が選択すると大きく表示される。管理人は不審者をチェックしておきたいと思えば要注意ボタン５０２をタッチすることにより、要注意リストに登録するなどする。
【００３０】
以上のように本実施の形態においては、利用者のプライバシーにかかわる可能性のある玄関先やバルコニーなどの画像情報から、利用者自身が提供したいと思う画像を選択して管理人などの監視者に転送することから、従来困難であった場所のセキュリティ情報が得られて監視できる範囲が大幅に拡大される結果、格段に防犯効果を高めることができ、地域で防犯に取り組む手段としてきわめて有効である。
【００３１】
なお、本実施の形態では、撮像手段として玄関カメラ１０４ａを設置しているが、現在普及しているインターホン装置のカメラを利用してもよい。
【００３２】
（実施の形態２）
図６は、本発明の第２の実施の形態におけるセキュリティ装置の構成を示す図である。第１の実施の形態と異なる点は、画像情報選択手段１０７に、画像情報集中管理手段１０６で管理する画像情報の選択方法を設定する集中管理設定手段６０１を設けたことと、画像情報集中管理手段１０６を遠隔に設けたいわゆるサーバとして、各戸情報端末１０４ａ、１０４ｂ、１０４ｃと管理者端末６０３からインターネットなどの通信回線６０２を利用して接続する構成としている。
【００３３】
以上のように構成されたセキュリティ装置について、以下その動作、作用を説明する。
【００３４】
人体検知手段１０２に基づいて玄関カメラ１０４ａが画像情報記憶手段１０５に記憶するタイミングが第１の実施の形態と異なり、図７に示すように、人体が検知された時点で画像記憶を開始するとともに時間のカウントを開始し、設定時間Ｔが満了するまでは画像の記憶を継続し続ける。また、この図に示したように、いったん人体検知が途切れて、その後また人体を検知した場合には改めてその時点から時間のカウントを開始し、人体検知が終了した後も、設定時間Ｔが満了するまで画像を記憶する。
【００３５】
また、画像情報選択手段１０７は画像情報集中管理手段１０６に転送する画像を利用者が任意に選択する方法であったが、集中管理設定手段６０１により、あらかじめ設定された時間帯に記憶された画像情報はすべて画像情報集中管理手段１０６に自動的に転送する。
【００３６】
さらに、各戸情報端末１０４ａ、１０４ｂ、１０４ｃからの画像は通信回線６０２を通じて遠隔の画像情報集中管理手段１０６に送られ、管理者が管理者端末６０３で情報を見る場合も、通信回線６０２を利用してアクセスし、管理者端末６０３の画像情報表示手段１０８に表示する。管理人の操作自体は、第１の実施の形態のものと変わりはない。
【００３７】
以上のように、本実施の形態においては、画像情報の転送を設定された条件に基づいて自動的におこなうので、防犯上の情報が集まりやすいという効果がある。なお、転送する時間は、プライバシーに配慮して、深夜などにすればよい。また、人体検知に対して画像記憶の時間に余裕を設けているので、記憶した画像が途切れたりすることが少なく、見やすく、また管理しやすいという効果がある。さらに、遠隔の画像情報集中管理手段１０６を利用することによって、たとえば集合住宅の現場の設備が簡便で設置やメンテナンスが容易となり、また、管理人が複数の集合住宅をまとめて管理しているような場合に、情報が集中することから、付近一帯の複数の地域にまたがるセキュリティ情報を扱うことにより、より防犯上の効果も上がる。
【００３８】
（実施の形態３）
図８は、本発明の第３の実施の形態におけるセキュリティ装置において、画像情報を記憶するタイミングを示す図である。構成は第２の実施の形態と同様である。
【００３９】
人体検知手段１０２に基づいて玄関カメラ１０１ａが画像情報記憶手段１０５に記憶するタイミングを、人体が検知された時点で画像記憶を開始した後、人体を検知しなくなっても画像記憶を継続するが、この時点で時間のカウントを開始し、設定時間Ｔが満了するまでは画像の記憶を継続し続ける。また、この図に示すように、設定時間Ｔ以内に人体を検知すれば、当然そのまま画像記憶は継続し、最後に人体を検知しなくなってから設定時間Ｔが満了するまで画像を記憶するというものである。
【００４０】
さらに、図９は、集中管理設定手段６０１の動作設定を説明したものである。本実施の形態においては、画像情報記憶手段１０５から画像情報集中管理手段１０６に転送する時間帯を利用者が任意に設定できる構成としており、タッチパネルによって数字を増減させることによって設定する。
【００４１】
以上のように、本実施の形態においては、利用者が画像の転送する時間帯を自分で決められるので、プライバシーを侵害することがない。
【００４２】
（実施の形態４）
次に、新たに図示しないが、第４の実施の形態について説明する。図６において、集中管理設定手段６０１は、各戸情報端末１０４ａの画面に、画像情報集中管理手段１０６に転送を開始する操作画面と、それを終了する操作画面を表示させ、利用者は任意に転送の開始と終了の動作をおこなわせることができる構成としている。
【００４３】
この構成により、利用者が画像情報をそのまま画像情報集中管理手段１０６に転送を開始したいときに各戸情報端末１０４ａの画面上の開始スイッチを操作し、その状態を終了したいときに終了スイッチを操作するようにしている。
【００４４】
以上のように、本実施例の形態においては、実施の形態３と同様、利用者の了解の下に画像が転送されることからプライバシーの侵害を防ぐことができる。
【００４５】
なお、この動作は独立しておこなうこともできるが、セキュリティの警戒状態の設定と解除に連動しておこなってもよい。
【００４６】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００４７】
以上のように、本発明にかかるセキュリティ装置およびそのプログラムは、プライバシーを損なうことなく監視できる範囲が大幅に拡大されて、格段に防犯効果を高めることができるので、特に集合住宅において地域ぐるみの防犯体制を確立するのに非常に有効であるが、一戸建ての住区に適用したり、事務所や商業施設の地域防犯管理にも適用できる。
【図面の簡単な説明】
【００４８】
【図１】本発明の実施の形態１におけるセキュリティ装置の構成図
【図２】同設置の状態を示した図
【図３】同画像記憶のタイミングを示した図
【図４】同画像情報選択手段の操作画面を示した図
【図５】同画像情報集中管理手段による画像情報表示手段の画面を示した図
【図６】本発明の実施の形態２におけるセキュリティ装置の構成図
【図７】同画像記憶のタイミングを示した図
【図８】本発明の実施の形態３における画像記憶のタイミングを示した図
【図９】同集中管理設定手段の操作画面を示した図
【図１０】従来のセキュリティ装置の構成図
【符号の説明】
【００４９】
１０１  撮像手段としての玄関カメラ、専用庭カメラ他
１０２  人体検知手段
１０３  画像記憶条件設定手段
１０４  情報端末としての各戸情報端末
１０５  画像情報記憶手段
１０６  画像情報集中管理手段
１０７  画像情報選択手段
６０１  集中管理設定手段
【図１】
2005303646.tif 000003
【図２】
2005303646.tif 000004
【図３】
2005303646.tif 000005
【図４】
2005303646.tif 000006
【図５】
2005303646.tif 000007
【図６】
2005303646.tif 000008
【図７】
2005303646.tif 000009
【図８】
2005303646.tif 000010
【図９】
2005303646.tif 000011
【図１０】
2005303646.tif 000012